(57)【要約】【課題】綴じ足のみで紙葉類を綴じる形態の綴じ足であって、構造簡素であっても必要な機能を備え、廃棄を好適に行うことができる綴じ足を提供する。【解決手段】樹脂製の綴じ足１は、所定の間隔と略同じ長さに設けられた基部２と、基部の長手方向に設けられた脚部３とを備え、脚部３は互いに隣接し嵌合可能な凹部３１および凸部３２と、凹部３１および凸部３２を屈曲可能に接続するヒンジ部３３と、２つの穴を挿通する先端部３４を備え、ヒンジ部３３が直伸した状態において凹部３１および凸部３２は嵌合し、脚部３が直伸状態に保持され、ヒンジ部３３が屈曲した状態において脚部３が屈曲状態に保持される。【選択図】図３
2004255749.tif 000002
【特許請求の範囲】
【請求項１】
所定の間隔で紙葉類に設けられた２つの穴に挿し通すことにより紙葉類を束ねる樹脂製の綴じ足であって、
前記所定の間隔に略対応した長さの基部と、前記基部の長手方向に連続する位置に設けられた脚部とを備え、
該脚部は、少なくとも基部との隣接部分、及び当該脚部の一部の少なくとも２箇所に、互いに隣接し嵌合可能な凹部および凸部と、該凹部および凸部を屈曲可能に接続するヒンジ部とを備え、
前記ヒンジ部が直伸した状態において前記凹部および凸部は嵌合し、前記脚部が直伸状態に保持され、前記ヒンジ部が屈曲した状態において前記凹部および凸部の嵌合が解除され、前記脚部が屈曲状態に保持されることを特徴とする綴じ足。
【請求項２】
前記凸部の突出部分は、該突出部分の端部の幅が該突出部分の基端部の幅よりも広い形状をしており、前記凹部のくぼみ部は前記凸部の突出部分と略同様の形状をしており、前記ヒンジ部が直伸した状態において前記凹部および凸部は嵌合することにより前記脚部が直伸状態に保持され、前記ヒンジ部が屈曲した状態において前記凸部の突出部分の側面であり前記突出部分の基端部の幅よりも広い部分と、前記凹部の先端部分が当接することにより前記脚部が屈曲状態に保持されることを特徴とする請求項１に記載の綴じ足。
【請求項３】
前記凸部の突出部分から長手方向にスリットを設けることにより、前記脚部が直伸状態と屈曲状態との間を相互に移行する際に前記凸部の突出部分の幅が経過的に狭くなることを特徴とする請求項２に記載の綴じ足。
【請求項４】
前記凹部のくぼみ部にスリットを設けることにより、前記脚部が直伸状態と屈曲状態との間を相互に移行する際に前記凹部のくぼみ部の開口幅が経過的に広くなることを特徴とする請求項２または３に記載の綴じ足。
【請求項５】
前記凹部、前記凸部及び前記ヒンジ部を長手方向に沿って所定ピッチで複数設け、屈曲させる前記ヒンジ部を必要に応じて選択し、選択した該ヒンジ部に隣接する前記凹部および前記凸部を屈曲状態にすることを特徴とする請求項１〜４のいずれかに記載の綴じ足。
【請求項６】
１本の樹脂製の棒状体に所定の形状の切り溝および切り込みを設けることにより作成することを特徴とする請求項項１〜５のいずれかに記載の綴じ足。
【請求項７】
綴じ足の材質がポリプロピレンまたはポリエチレンであることを特徴とする請求項１〜６のいずれかに記載の綴じ足。
【発明の詳細な説明】
【０００１】
【発明の属する技術分野】
本発明は、構造簡素でありながら紙葉類を好適に綴じることができる綴じ足に関するものである。
【０００２】
【従来の技術】
従来より、所定の間隔で紙葉類に設けられた２つの穴に挿し通すことにより紙葉類を束ねる綴じ足（ファスナー）が用いられている。綴じ足が使用される形態としては、表表紙や裏表紙に綴じ足を設けた、いわゆるファイル式のものや、表紙類を用いずに、綴じ足のみで紙葉類を綴じる形態のものがある。
【０００３】
前記ファイル式のものには、保存目的で頻繁に閲覧する必要がない場合等は、より簡易な綴じ具が求められるため、特許文献１に記載のファイルに用いられているような樹脂製の綴じ足が多く開発されている。
【０００４】
また、表紙類を用いず綴じ足のみで紙葉類を綴じる形態のものも存在する。このようなものは、上記同様保存目的の場合や、配布された書類を保存するまでの間、一時的に綴じておく目的などに使用され、安価な上、簡便に利用できるため一般に広く利用されている。これらのものは、綴じ足のみで紙葉類を綴じた形態を保持しなければならないため、その材質をスチールなどとしたものや、特許文献２のように、樹脂製の綴じ足に金属製の線材を長手方向に嵌合させ綴じ足のみで形態を保持することを可能にしたものなど、その全部または一部に金属を使用している。
【０００５】
【特許文献１】
特許第３０５７５５８号公報
【特許文献２】
特開２００２−３１６４９５号公報
【０００６】
【発明が解決しようとする課題】
しかしながら、特許文献１に記載したような樹脂製の綴じ足では紙葉類を綴じるためには綴じ足のほかに、紙葉類に設けた穴から綴じ足の端部が抜けないよう固定するための別の部材が必須である。そのため、上記したような従来の樹脂製の綴じ足は、綴じ足のみで紙葉類を綴じる形態のものとすることはできない。また、綴じ足のみで紙葉類を綴じる形態のものはその全部または一部に金属を使用しているため、可燃ゴミである書類を廃棄する際には書類とは分別して廃棄しなければならない。
【０００７】
本発明は、このような現状に鑑み、綴じ足のみで紙葉類を綴じる形態の綴じ足であって、構造簡素であっても少なくとも保存に必要な機能を備え、廃棄を好適に行うことができる綴じ足を提供しようとするものである。
【０００８】
【課題を解決するための手段】
本発明は、かかる目的を達成するために、次のような構成を採用したものである。
【０００９】
本発明にかかる綴じ足は、所定の間隔で紙に設けられた２つの穴に挿し通すことにより紙葉類を束ねる樹脂製の綴じ足であって、前記所定の間隔に略対応した長さの基部と、前記基部の長手方向に連続する位置に設けられた脚部とを備え、該脚部は少なくとも基部との隣接部分、及び当該脚部の一部の少なくとも２箇所に、互いに隣接し嵌合可能な凹部および凸部と、該凹部および凸部を屈曲可能に接続するヒンジ部を備え、前記ヒンジ部が直伸した状態において前記凹部および凸部は嵌合し、前記脚部が直伸状態に保持され、前記ヒンジ部が屈曲した状態において前記凹部および凸部の嵌合が解除され、前記脚部が屈曲状態に保持されることを特徴とする。
【００１０】
このようなものであれば、紙葉類に設けられた穴に脚部を挿通しヒンジ部を屈曲させると、屈曲させた箇所では凹部および凸部の嵌合が解除され、前記脚部が直伸状態に戻ることなく屈曲状態に保持されるため、紙葉類に設けられた穴から前記脚部が抜け落ちることがない。したがって本発明に係る綴じ足は、素材として樹脂のみを用いても、紙を綴じるために綴じ足を固定する別の部材を用いることなく、綴じ足のみで紙葉類を綴じることを可能にする。
【００１１】
また、上記凸部の突出部分は、該突出部分の端部の幅が該突出部分の基端部の幅よりも広い形状をしており、上記凹部のくぼみ部は前記凸部の突出部分と略同様の形状をしており、上記ヒンジ部が直伸した状態において前記凹部および凸部は嵌合することにより上記脚部が直伸状態に保持され、前記ヒンジ部が屈曲した状態において前記凸部の突出部分の側面であり前記突出部分の基端部の幅よりも広い部分と、前記凹部の先端部分が当接することにより前記脚部が屈曲状態に保持されるものである。
【００１２】
上記凸部の突出部分から長手方向にスリットを設けることにより、上記脚部が直伸状態と屈曲状態との間を相互に移行する際に前記凸部の突出部分の幅が経過的に狭くなる構成や、上記凹部のくぼみ部にスリットを設けることにより、上記脚部が直伸状態と屈曲状態との間を相互に移行する際に前記凹部のくぼみ部の開口が経過的に広くなる構成とすることにより、上記脚部が直伸状態と屈曲状態とを、抵抗がかかることなく好適に相互の形態へ移行することができる。
【００１３】
さらに、本発明にかかる綴じ足は、上記凹部、上記凸部及び前記ヒンジ部を長手方向に沿って所定ピッチで複数設けることにより、屈曲させる上記ヒンジ部を綴じようとする紙葉類の厚さに合わせて選択し、綴じることができる。
【００１４】
本発明にかかる綴じ足は、１本の樹脂製の棒状体に複数の切り溝および切り込みを設けることのみにより作成できるため、組み立てにかかる労力、コストを削減することができ、安価での生産・販売が可能となる。
【００１５】
そして、本発明にかかる綴じ足は、その材質をポリプロピレンまたはポリエチレンとすることにより、焼却処分の際にも有毒ガスが発生しにくく、可燃ゴミとして廃棄することや、綴じている紙葉類ごと廃棄することができる。
【００１６】
【発明の実施の形態】
以下、本発明の一実施形態について、図面を参照して説明する。
【００１７】
本実施形態に係る綴じ足１は、図１の平面図、図２（Ａ）の拡大平面図および図２（Ｂ）の拡大側面図に示すように、所定の間隔で紙葉類に設けられた２つの穴に略対応した長さの基部２と、基部１の長手方向に連続する位置に設けられた脚部３とを備える。脚部３は、少なくとも基部２との隣接部分、及び当該脚部３の一部に、互いに隣接し嵌合可能に設けられた凹部３１および凸部３２と、凸部３２の突出部分３２１に長手方向に設けたスリット３２２と、凹部３１および凸部３２を屈曲可能な厚さで接続するヒンジ部３３と、紙葉類に設けられた２つの穴に挿通容易なように丸くすぼませた先端部３４を具備するものである。ヒンジ部３３が直伸した状態においては凹部３１および凸部３２は嵌合した状態となり脚部３が直伸状態に保持される。ヒンジ部３３が屈曲した状態においては凹部３１および凸部３２の嵌合が解除され、脚部３が屈曲した状態に保持される構造を有する。
【００１８】
ヒンジ部３３を屈曲させるための構造及びその動作について図３を参照して説明する。
【００１９】
凸部３２の突出部分３２１は、その先端部の幅が基端部の幅よりも広くなっており、凹部３１のくぼみ部３１１は凸部３２の突出部分３２１と略同様の形状である。ヒンジ部３３が直伸した状態においては凹部３１および凸部３２は嵌合することにより脚部３が直伸状態に保持される。ヒンジ部３３が屈曲した状態においては凸部３２の突出部分３２１のうち、当該突出部分３２１の基端部の幅よりも広い部分の前後面３２１ｂと、凹部３１の先端部分の両側に位置する端面３１ａが当接することにより脚部３が屈曲状態に保持される。
【００２０】
脚部３を直伸状態から屈曲状態へ移行させる際には、屈曲させる位置のヒンジ部３３を手操作により一定以上の力で屈曲させることで屈曲状態とすることができるが、その際、凸部３２の突出部分３２１の側面３２１ａが凹部３１のくぼみ部３１１の相対的に幅狭な内側にあたり、凸部３２の突出部分３２１の幅は狭くなる方向に、凹部３１のくぼみ部３１１は広くなる方向に力が加わることとなるが、長手方向に設けたスリット３２２により、凸部３２の突出部分３２１の幅が経過的に狭くなるため、直伸状態から屈曲状態へと移行させる動作を、大きな操作力を加えることなく好適に行うことができる。一方、屈曲状態から直伸状態へと移行させる際には、屈曲した位置のヒンジ部３３を手操作により一定以上の力で直伸させることで直伸状態とすることができるが、その際にもスリット３２２は上記と同様の働きをするため、好適に直伸状態とすることができる。これらの状態変移は、クリック感を伴って円滑になされる。
【００２１】
なお、本実施形態に係る綴じ足１では、用いる樹脂の種類やヒンジ部３３の厚み、綴じ足１そのものの厚みにより、屈曲・直伸させるために必要な力が種々変わり得るが、凸部３２の突出部分３２１に設けるスリット３２２の幅を変えて凸部３２の幅が狭くなる範囲や狭くするために必要な力の強さを調節することにより、綴じ足１を屈曲・直伸させるために必要な力の強さを適切なものとすることができる。
【００２２】
本実施形態に係る綴じ足１は、凹部３１および凸部３２を一定間隔にそれぞれ複数設けているため、凹部３１と凸部３２の間に介在するするヒンジ部３３も複数存在する。そうすることにより、屈曲させるヒンジ部３３を綴じようとする紙葉類の厚さに応じて選択でき、選択したヒンジ部３３に隣接する凹部３１および凸部３２を屈曲状態にすることができる。
【００２３】
次に、本実施例に係る綴じ足１を用いて紙葉類を綴じる動作について説明する。図４は本実施例に係る綴じ足１を用いて紙葉類を綴じた状態を示した斜視図である。まず、基部２に最も近いヒンジ部３３を屈曲させ、基部２の両端にある脚部３が基部２より略直角に起きあがるように配置し、綴じ足本体１の形状を略コの字状にする。このとき１対の脚部２間の距離は基部２の長さと略同じ、つまり紙葉類に設けられた２つの穴の間隔と略等しくなっている。次に、先端部３４を紙葉類に設けられた穴に挿通し、紙葉類の厚みの下端が基部２に当たるまで挿通する。そして紙葉類の厚みの上端よりも高く且つ最も近い位置にあるヒンジ部３３を屈曲させ紙葉類が先端部３４から抜けないよう固定する。勿論、各脚部３ごとに紙葉類の穴に挿通して挿通端側を折り曲げる操作を順次行うようにしても構わない。
【００２４】
なお、本発明は、以上に示した以外にも、種々変形が可能である。
【００２５】
例えば、本実施形態を変形した例として、図５に示すように、スリットの位置を変えたものとして、凹部３１のくぼみ部３１１にスリット３１２を設けることができる。この場合、直伸状態と屈曲状態との間を相互に移行させる際にはスリット３１２の働きにより凹部３１のくぼみ部３１１の幅が広くなる。そうすることにより好適に直伸状態と屈曲状態との間を相互に移行させることができる。なお、凹部３１のくぼみ部３１１に設けたスリット３１２の場合、凹部３１の幅が広くなる範囲や広くするために必要な力の強さは、スリット３１２の長さを変えることにより調節することができる。
【００２６】
以上のように、本実施形態は、所定の間隔で紙に設けられた２つの穴に挿し通すことにより紙葉類を束ねる樹脂製の綴じ足１であって、所定の間隔に略対応した長さの基部２と、基部２の長手方向に連続する位置に設けられた脚部３とを備え、脚部３は少なくとも基部２との隣接部分、及び当該脚部３の一部の少なくとも２箇所に、互いに隣接し嵌合可能な凹部３１および凸部３２と、凹部３１および凸部３２を屈曲可能に接続するヒンジ部３３を備え、ヒンジ部３３が直伸した状態において凹部３１および凸部３２は嵌合し、脚部３が直伸状態に保持され、ヒンジ部３３が屈曲した状態において凹部３１および凸部３２の嵌合が解除され、脚部３が屈曲状態に保持されるようにしたものである。
【００２７】
このようなものであれば、紙葉類に設けられた穴に脚部３を挿通しヒンジ部３３を屈曲させると、屈曲させた箇所では凹部３１および凸部３２の嵌合が解除され、脚部３が直伸状態に戻ることなく屈曲状態に保持されるため、紙葉類に設けられた穴から脚部３が抜け落ちることがない。したがって本実施形態に係る綴じ足１は、素材として樹脂のみを用いても、紙を綴じるために綴じ足を固定する別の部材を用いることなく、綴じ足のみで紙葉類を綴じることを可能にする。
【００２８】
特に、この実施形態において、凸部３２の突出部分３２１は、該突出部分３２１の端部の幅が突出部分３２１の基端部の幅よりも広い形状をしており、凹部３１のくぼみ部３１１は凸部３２の突出部分３２１と略同様の形状をしており、ヒンジ部３３が直伸した状態において凹部３１および凸部３２は嵌合することにより脚部３が直伸状態に保持され、ヒンジ部３３が屈曲した状態において凸部３２の突出部分の３２１のうち、当該突出部分３２１の基端部の幅よりも広い部分の前後面３２１ｂと、凹部３１の先端部分の両側に位置する端面３１ａが当接することにより脚部３が屈曲状態に保持されるように構成している。このため、屈曲状態において、凹部３１および凸部３２が一定の広がりをもって当接した、安定した状態が保たれるため、紙葉類を安定して綴じることができる。
【００２９】
また、この実施形態において凸部３２の突出部分３２１から長手方向にスリット３２２を設けることにより、脚部３が直伸状態と屈曲状態との間を相互に移行する際に凸部３２の突出部分３２１の幅が経過的に狭くなるように構成している。このため、脚部３が直伸状態と屈曲状態との間で、大きな抵抗がかかることなくかつ樹脂の弾性を利用して好適に相互の形態へ移行することができる。
【００３０】
この実施形態を変形した例において、凹部３１のくぼみ部３１１にスリット３１２を設けることにより、脚部３が直伸状態と屈曲状態との間を相互に移行する際に凹部３１のくぼみ部３１１の開口幅が経過的に広くなるように構成している。このようにしても、上記と同様に、脚部３が直伸状態と屈曲状態とを、大きな抵抗がかかることなくかつ樹脂の弾性を利用して好適に相互の形態へ移行することができる。
【００３１】
加えて、この実施形態において、凹部３１、凸部３２及びヒンジ部３３を長手方向に沿って所定ピッチで複数設け、屈曲させるヒンジ部３３を必要に応じて選択し、選択した該ヒンジ部３３に隣接する凹部３１および凸部３３を屈曲状態にするように構成している。このため、屈曲させる上記ヒンジ部３３を、綴じようとする紙葉類の厚さに合わせて選択し、綴じることができる。
【００３２】
本実施形態に係る綴じ足１は、１本の樹脂製の棒状体に切り溝および切り込みを設けることで凹部３１、凸部３２、ヒンジ部３３およびスリット３２２を作成することができる。すなわち、本実施形態に係る綴じ足１は、１つの樹脂成形体からの作成が可能であるため、生産にかかる労力、コストを削減することができ、安価での生産・販売が可能である。
【００３３】
そして、本実施形態にかかる綴じ足１は、その材質をポリプロピレンまたはポリエチレンとすることにより、焼却処分の際にも有毒ガスが発生しにくく、綴じている紙葉類と分別することなく可燃ゴミとして廃棄することができる。
【００３４】
以上、本発明の実施形態について説明したが、各部の具体的な構成は、上述した実施形態のみに限定されるものではなく、本発明の趣旨を逸脱しない範囲で種々変形が可能である。
【００３５】
たとえば、上記実施形態では綴じ足のみで紙葉類を綴じる綴じ足について説明したが、本発明に係る他の実施形態として、綴じ足を表表紙または裏表紙に取り付けた、いわゆるファイル式の綴じ具にも用いることができる。この場合には、基部の端部と脚部の角度を直角とすることにより、脚部の直立ち上がりを綴じようとする紙葉類に対し垂直方向とし、紙を綴じる箇所にのみ屈曲可能な構造とすることも可能である。このように、いわゆるファイル式の綴じ具に本発明に係る綴じ足を用いた場合においても、紙を綴じるために綴じ足を固定する別の部材が不要であること、可燃ゴミとして紙葉類ごと廃棄できることといった上記実施形態と同様の効果を奏することができる。
【００３６】
【発明の効果】
本発明は、以上説明した構成により、素材として樹脂のみを用いても、綴じ足のみで紙葉類を綴じることを可能にした。また、本発明にかかる綴じ足は、１本の樹脂製の棒状体に複数の切り溝および切り込みを設けることのみにより作成できるため、生産にかかる労力、コストを削減することができ、安価での販売が可能となる。さらに、その樹脂の材質をポリプロピレンまたはポリエチレンとすることにより、焼却処分の際にも有毒ガスが発生しにくく、可燃ゴミとして廃棄することができや、紙用類ごと廃棄することができる。
【図面の簡単な説明】
【図１】本発明の一実施形態に係る綴じ足の平面図。
【図２】同実施形態に係る綴じ足の拡大図。
【図３】同実施形態に係る綴じ足の斜視図。
【図４】同実施形態に係る綴じ足を用いて紙葉類を綴じた状態を示す斜視図。
【図５】同実施形態の変形例に係る綴じ足の斜視図。
【符号の説明】
１  …綴じ足
２  …基部
３  …脚部
３１…凹部
３１１…凹部３１のくぼみ部
３１２、３２２…スリット
３２…凸部
３２１…凸部３２の突出部分
３３…ヒンジ部
３４…先端部
【図１】
2004255749.tif 000003
【図２】
2004255749.tif 000004
【図３】
2004255749.tif 000005
【図４】
2004255749.tif 000006
【図５】
2004255749.tif 000007